(57)【要約】      （修正有）【課題】小型であることと高変倍比であることを両立させつつ、高変倍比、小型化において特に厳しく求められる像面湾曲を良好に補正した結像光学系およびそれを有する電子撮像装置を提供する。【解決手段】物体側より順に、正の屈折力の第１レンズ群Ｇ１と、負の屈折力の第２レンズ群Ｇ２と、正の屈折力の第３レンズ群Ｇ３と、正の屈折力の第４レンズ群Ｇ４とからなる結像光学系において、前記第２レンズ群を構成する最も屈折力の強い正単レンズＬ３のｄ線に対する屈折率を、前記第２レンズ群を構成するレンズの屈折率のうちで最も小さく設定する。【選択図】図１
2011203387.tif 000002
【特許請求の範囲】
【請求項１】
物体側より順に、正の屈折力の第１レンズ群と、負の屈折力の第２レンズ群と、正の屈折力の第３レンズ群と、正の屈折力の第４レンズ群とからなる結像光学系において、
前記第２レンズ群を構成する最も屈折力の強い正単レンズのｄ線に対する屈折率は、前記第２レンズ群を構成するレンズの屈折率のうちで最も小さいことを特徴とする結像光学系。
【請求項２】
前記第２レンズ群内に、前記正単レンズよりも中心肉厚が小さい凹レンズを少なくとも１つ有することを特徴とする請求項１に記載の結像光学系。
【請求項３】
前記第２レンズ群内の最も屈折力の強い前記正単レンズは、前記第２レンズ群中の最も像面側に位置することを特徴とする請求項１または請求項２に記載の結像光学系。
【請求項４】
前記第２レンズ群内の最も屈折力の強い前記正単レンズが以下の条件を満足することを特徴とする請求項１から請求項３のいずれか一項に記載の結像光学系。
１．４５≦ndｐ≦１．７５    ・・・（１）
１０≦νdp≦３５    ・・・（２）
ここで、
ndｐは前記第２レンズ群内の前記正単レンズのｄ線（波長λ＝５８７．６ ｎｍ）の屈折率、
νdpは前記第２レンズ群内の前記正単レンズのｄ線（波長λ＝５８７．６ ｎｍ）のアッベ数（ｎdp−1）／（ｎFp−ｎCp）、
ｎｄp、ｎCp、ｎFpは、各々前記正単レンズのｄ線、Ｃ線、Ｆ線に対する屈折率、
である。
【請求項５】
前記第２レンズ群内の最も屈折力の強い前記正単レンズが以下の条件を満足することを特徴とする請求項１から請求項４のいずれか一項に記載の結像光学系。
０．６≦θgF≦０．７５      ・・・（３）
ここで、
θgFは前記第２レンズ群内の前記正単レンズの部分分散比θgF＝（ng-nF）/(nF-nC)、  ngは前記正単レンズのｇ線（波長λ＝ ｎｍ）の屈折率、nFは前記正単レンズのＦ線（波長λ＝ ｎｍ）の屈折率、nCは前記正単レンズのＣ線（波長λ＝ ｎｍ）の屈折率、
である。
【請求項６】
前記第２レンズ群内の最も屈折力の強い前記正単レンズが以下の条件を満足することを特徴とする請求項１から請求項５のいずれか一項に記載の結像光学系。
０．２０≦ｆp／（ｆｗ・ｆｔ）1/2≦１．００    ・・・（４）
ここで、
ｆｐは前記第２レンズ群の前記正単レンズの焦点距離、
ｆｗは広角端における光学系全系の焦点距離、
ｆｔは望遠端における光学系全系の焦点距離、
である。
【請求項７】
前記第２レンズ群内の最も屈折力の強い前記正単レンズが以下の条件を満足することを特徴とする請求項１から請求項５のいずれか一項に記載の結像光学系。
−０．５≦（R１＋R２）/（R１−R２）＜１．０      ・・・（５）
ここで、
R１は前記第２レンズ群の最も物体側の面の曲率半径、
R２は前記第２レンズ群の最も像面側の面の曲率半径、
である。
【請求項８】
請求項１から請求項７のいずれか一項に記載の結像光学系と、
光電変換素子と、を有し、
前記結像光学系が、前記光電変換素子上に像を形成することを特徴とする電子撮像装置。
【発明の詳細な説明】
【技術分野】
【０００１】
本発明は、結像光学系、特に電子撮像光学系に適した薄型でありながら高変倍比でかつ結像性能に優れた結像光学系及びそれを有する電子撮像装置に関するものである。
【背景技術】
【０００２】
デジタルカメラは、高画素数化（高画素化）や小型薄型化において実用レベルを達成し、機能的にも市場的にも銀塩３５ｍｍフィルムカメラにとって代わっている。そこで、次なる進化の方向の１つとして、そのままの小ささ、薄さ、で高変倍比とともにさらなる高画素数化が強く求められている。
これまで、高変倍に強いとして４群以上のいわゆるポジティブリードタイプが一般に用いられている。しかし望遠比が１を超えるものがほとんどであり、十分小型とはいえない。
【０００３】
ポジティブリードタイプの光学系を小型化する際には、望遠端の全長短縮が必須である。しかしながら、光学系の全長を望遠端において短縮すると、負の像面湾曲が発生する。このため結像性能を満足することが出来なくなる。
小型化と像面湾曲補正とを両立する手段としてポジティブリードタイプ光学系の第２レンズ群に低屈折率の凸レンズを導入することが考えられる。
【０００４】
例えば、特許文献１の実施例１では、第２レンズ群内のレンズのうち凸レンズの屈折率が最も小さい構成である。
【０００５】
また、例えば、特許文献２では、第２レンズ群内のレンズのうち屈折率が最も低い正レンズが配置された構成である。
【先行技術文献】
【特許文献】
【０００６】
【特許文献１】特開２００８−２０３４５３号公報
【特許文献２】特開２００９−９１２１号公報
【発明の概要】
【発明が解決しようとする課題】
【０００７】
特許文献１に開示されている光学系では、凸レンズは、接合レンズとして配置されている。このため、非点収差やコマ収差等の軸外収差への補正能力が低下する。また変倍比は５倍程度しかない。
また、特許文献２に開示されている光学系では、第２レンズ群の構成枚数は５〜６枚であり、光軸方向の全長が長く、小型化されていない。このため、レンズ鏡筒ユニットをカメラ筐体の厚み（奥行き）方向に収納するいわゆる沈胴式鏡筒を採用しても、カメラ筐体を薄くすることは困難である。なお、沈胴式鏡筒とは、レンズ鏡筒ユニットをカメラ筐体の厚み（奥行き）方向に収納する方式の鏡筒のことである。
【０００８】
本発明は、上記に鑑みてなされたものであって、小型であることと高変倍比であることを両立させつつ、例えば、高変倍比、小型化等の場合において特に厳しく求められる、像面湾曲を良好に補正した結像光学系およびそれを有する電子撮像装置を提供することを目的とする。
【課題を解決するための手段】
【０００９】
上述した課題を解決し、目的を達成するために、本発明の結像光学系は、
物体側より順に、正の屈折力の第１レンズ群と、負の屈折力の第２レンズ群と、正の屈折力の第３レンズ群と、正の屈折力の第４レンズ群とからなる結像光学系において、
前記第２レンズ群を構成する最も屈折力の強い正単レンズのｄ線に対する屈折率は、前記第２レンズ群を構成するレンズの屈折率のうちで最も小さいことを特徴とする。
【００１０】
また、本発明の好ましい態様によれば、前記第２レンズ群内に、前記正単レンズよりも中心肉厚が小さい凹レンズを少なくとも１つ有することが望ましい。
【００１１】
また、本発明の好ましい態様によれば、前記第２レンズ群内の最も屈折力の強い前記正単レンズは、前記第２レンズ群中の最も像面側に位置することが望ましい。
【００１２】
また、本発明の好ましい態様によれば、前記第２レンズ群内の最も屈折力の強い前記正単レンズが以下の条件を満足することが望ましい。
１．４５≦ndｐ≦１．７５    ・・・（１）
１０≦νdp≦３５    ・・・（２）
ここで、
ndｐは前記第２レンズ群内の前記正単レンズのｄ線（波長λ＝５８７．６ ｎｍ）の屈折率、
νdpは前記第２レンズ群内の前記正単レンズのｄ線（波長λ＝５８７．６ ｎｍ）のアッベ数（ｎdp−1）／（ｎFp−ｎCp）、
ｎｄp、ｎCp、ｎFpは、各々前記正単レンズのｄ線、Ｃ線、Ｆ線に対する屈折率、
である。
【００１３】
また、本発明の好ましい態様によれば、前記第２レンズ群内の最も屈折力の強い前記正単レンズが以下の条件を満足することが望ましい。
０．６≦θgF≦０．７５      ・・・（３）
ここで、
θgFは前記第２レンズ群内の前記正単レンズの部分分散比θgF＝（ng-nF）/(nF-nC)、  ngは前記正単レンズのｇ線（波長λ＝ ｎｍ）の屈折率、nFは前記正単レンズのＦ線（波長λ＝ ｎｍ）の屈折率、nCは前記正単レンズのＣ線（波長λ＝ ｎｍ）の屈折率、
である。
【００１４】
また、本発明の好ましい態様によれば、前記第２レンズ群内の最も屈折力の強い前記正単レンズが以下の条件を満足することが望ましい。
０．２０≦ｆp／（ｆｗ・ｆｔ）1/2≦１．００    ・・・（４）
ここで、
ｆｐは前記第２レンズ群の前記正単レンズの焦点距離、
ｆｗは広角端における光学系全系の焦点距離、
ｆｔは望遠端における光学系全系の焦点距離、
である。
【００１５】
また、本発明の好ましい態様によれば、前記第２レンズ群内の最も屈折力の強い前記正単レンズが以下の条件を満足することが望ましい。
−０．５≦（R１＋R２）/（R１−R２）＜１．０      ・・・（５）
ここで、
R１は前記第２レンズ群の最も物体側の面の曲率半径、
R２は前記第２レンズ群の最も像面側の面の曲率半径、
である。
【００１６】
また、本発明の電子撮像装置によれば、
上述の結像光学系と、
光電変換素子とを有し、
結像光学系が、光電変換素子上に像を形成することを特徴とする。
【発明の効果】
【００１７】
本発明によれば、小型であることと高変倍比であることを両立させつつ、高変倍比、小型化において特に厳しく求められる像面湾曲を良好に補正した結像光学系およびそれを有する電子撮像装置を提供することができるという効果を奏する。
【図面の簡単な説明】
【００１８】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】本発明の実施例２にかかるズームレンズの（ａ）は広角端、（ｂ）は中間、（ｃ）は望遠端における無限遠物点合焦時の光学構成を示す光軸に沿う断面図である。
【図４】実施例２にかかるズームレンズの無限遠物点合焦時における球面収差、非点収差、歪曲収差、倍率色収差を示す図であり、（a）は広角端、（b）は中間、（c）は望遠端での状態を示している。
【図５】本発明の実施例３にかかるズームレンズの（ａ）は広角端、（ｂ）は中間、（ｃ）は望遠端における無限遠物点合焦時の光学構成を示す光軸に沿う断面図である。
【図６】実施例３にかかるズームレンズの無限遠物点合焦時における球面収差、非点収差、歪曲収差、倍率色収差を示す図であり、（a）は広角端、（b）は中間、（c）は望遠端での状態を示している。
【図７】本発明の実施例４にかかるズームレンズの（ａ）は広角端、（ｂ）は中間、（ｃ）は望遠端における無限遠物点合焦時の光学構成を示す光軸に沿う断面図である。
【図８】実施例４にかかるズームレンズの無限遠物点合焦時における球面収差、非点収差、歪曲収差、倍率色収差を示す図であり、（a）は広角端、（b）は中間、（c）は望遠端での状態を示している。
【図９】本発明の実施例５にかかるズームレンズの（ａ）は広角端、（ｂ）は中間、（ｃ）は望遠端における無限遠物点合焦時の光学構成を示す光軸に沿う断面図である。
【図１０】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１１】本発明による結像光学系を組み込んだデジタルカメラ４０の外観を示す前方斜視図である。
【図１２】デジタルカメラ４０の後方斜視図である。
【図１３】デジタルカメラ４０の光学構成を示す断面図である。
【図１４】本発明の結像光学系が対物光学系として内蔵された情報処理装置の一例であるパソコン３００のカバーを開いた状態の前方斜視図である。
【図１５】パソコン３００の撮影光学系３０３の断面図である。
【図１６】パソコン３００の側面図である。
【図１７】本発明の結像光学系が撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００１９】
以下に、本発明にかかる結像光学系をズームレンズに適用した実施例を図面に基づいて詳細に説明する。なお、この実施例によりこの発明が限定されるものではない。なお、実施例の説明に先立ち、本実施形態の結像光学系の作用効果について説明する。
【００２０】
実施例の説明に先立ち、本実施形態の結像光学系の作用効果について説明する。
本実施形態の結像光学系は、
物体側より順に、正の屈折力の第１レンズ群と、負の屈折力の第２レンズ群と、正の屈折力の第３レンズ群と、正の屈折力の第４レンズ群とからなる結像光学系において、
前記第２レンズ群を構成する最も屈折力の強い正単レンズのｄ線に対する屈折率は、前記第２レンズ群を構成するレンズの屈折率のうちで最も小さいことを特徴とする。
【００２１】
ポジティブリード（正先行型）の結像光学系においては、ペッツバール和が負になりやすく、像面湾曲の補正が不足するという特徴がある。さらに全長を短縮化すると、特に第２レンズ群の負の屈折力が増大するため、ますます像面湾曲の補正が困難となる。このため、第２レンズ群内の正単レンズの屈折率を小さくすることで、ペッツバール和を小さくすることができ、像面湾曲のズーム変動を低減することが可能となる。
【００２２】
また、凸レンズの前後を空気界面とすることで、凸レンズに屈折力をつけやすくなる。このため、よりペッツバール和を小さくすることができ、像面補正が可能となる。さらに非球面の導入も容易となる。このため軸外の諸収差も良好に補正することができるため好ましい。
【００２３】
また、本実施形態によれば、前記第２レンズ群内に、前記正単レンズよりも中心肉厚が小さい凹レンズを少なくとも１つ有することが望ましい。
【００２４】
第２レンズ群内において正単レンズ（凸レンズ）よりも中心肉厚の小さい凹レンズを配することにより、凹レンズの形状自由度を増大することができる。その結果、第２レンズ群の屈折力を増大しやすくなり入射瞳位置を物体側へ配置させることが可能となる。つまり、第１レンズ群への入射光線高を抑えることができ、第１レンズ群の屈折力を上げることが出来る。
【００２５】
このため、負の像面湾曲補正が可能になると共に全長短縮化が容易となるため好ましい。さらに、そのときに発生する広角端での非点収差や、望遠端での球面収差やコマ収差の変動を、正単レンズ（凸レンズ）の光路長を適切に確保することで低減することが可能となり好ましい。
【００２６】
また、本実施形態によれば、前記第２レンズ群内の最も屈折力の強い前記正単レンズは、前記第２レンズ群中の最も像面側に位置することが望ましい。
第２レンズ群内の凸レンズを、最も像面側に配置することで、第２レンズ群の主点位置を物体側に配置させることができる。この結果、入射瞳位置が物体側へ配置できるので、良好な光学性能を維持しつつ、レンズの前玉径の小型化が可能である。
【００２７】
また、本発明実施形態によれば、前記第２レンズ群内の最も屈折力の強い前記正単レンズが以下の条件を満足することが望ましい。
１．４５≦ndｐ≦１．７５    ・・・（１）
１０≦νdp≦３５    ・・・（２）
ここで、
ndｐは前記第２レンズ群内の前記正単レンズのｄ線（波長λ＝５８７．６ ｎｍ）の屈折率、
νdpは前記第２レンズ群内の前記正単レンズのｄ線（波長λ＝５８７．６ ｎｍ）のアッベ数（ｎdp−1）／（ｎFp−ｎCp）、
ｎｄp、ｎCp、ｎFpは、各々前記正単レンズのｄ線、Ｃ線、Ｆ線に対する屈折率、
である。
【００２８】
条件式（１）は、第２レンズ群を構成する凸レンズの屈折率の条件を規定している。
条件式（２）は、第２レンズ群を構成する凸レンズのアッベ数の条件を規定している。
条件式（１）を満たすことで、第２レンズ群内のペッツバール和を低減することができる。換言すると、第２レンズ群の屈折力が増大してもズーム時の像面湾曲変動を最小限に留めることが可能となり全長短縮が可能である。
条件式（１）の下限値を下回ると、実在する硝材がない為、所望の光学系が達成できない。
条件式（１）の上限値を上回ると、像面湾曲が補正不足となる。
更に、条件式（２）を満たすことで、第２レンズ群の像面湾曲補正を達成した上で、第２レンズ群内の色収差を良好に補正できる。
条件式（２）の下限値を下回ると、色収差が補正不足になってしまう。
条件式（２）の上限値を上回ると、色収差が補正過剰になってしまう。
即ち、条件式（１）、（２）を同時に満たすことで、全長が短く色収差が良好に補正された変倍光学系が達成できる。
【００２９】
また、条件式（１）に代えて、条件式（１−１）を満足すると良い。
１．６０≦ndｐ≦１．７５  ・・・（１−１）
さらに、条件式（１）に代えて、条件式（１−２）を満足するといっそう良い。
１．６０≦ndｐ≦１．７０  ・・・（１−２）
また、条件式（２）に代えて、条件式（２−１）を満足すると良い。
１０≦νdp≦３０    ・・・（２−１）    
また、条件式（２）に代えて、条件式（２−２）を満足するといっそう良い。
１５≦νdp≦２５    ・・・（２−２）    
これにより効果的に全長が短く色収差が良好に補正されたズームレンズを達成できる。
【００３０】
また、本発明の好ましい態様によれば、前記第２レンズ群内の最も屈折力の強い前記正単レンズが以下の条件を満足することが望ましい。
０．６≦θgF≦０．７５    ・・・（３）
ここで、
θgFは前記第２レンズ群内の前記正単レンズの部分分散比θgF＝（ng-nF）/(nF-nC)、  ng、nF、nCは、それぞれ正単レンズのｇ線（波長λ＝４３５．８４ｎｍ）の屈折率、Ｆ線（波長λ＝４８６．１３ｎｍ）の屈折率、Ｃ線（波長λ＝６５６．２７ｎｍ）の屈折率、
である。
【００３１】
条件式（３）は、第２レンズ群を構成する正単レンズの部分分散比の条件を規定している。
条件式（３）を満たすことで、２次スペクトルを十分に補正しながら全長短縮が可能である。条件式（３）の下限を下回ると、２次スペクトルが補正不足となる。条件式（３）の上限を上回ると、２次スペクトルが補正過剰となる。
【００３２】
また、本発明の好ましい態様によれば、前記第２レンズ群内の最も屈折力の強い前記正単レンズが以下の条件を満足することが望ましい。
０．２０≦ｆp／（ｆｗ・ｆｔ）1/2≦１．００    ・・・（４）
ここで、
ｆｐは前記第２レンズ群の前記正単レンズの焦点距離、
ｆｗは広角端における光学系全系の焦点距離、
ｆｔは望遠端における光学系全系の焦点距離、
である。
【００３３】
条件式（４）は、第２レンズ群を構成する正単レンズの屈折力の条件を規定している。
条件式（４）を満たすことで、第２レンズ群を構成する正単レンズの屈折力を強くすることができる。言い換えると、第２レンズ群のペッツバール和を小さくすることが可能となり光学系全体の像面湾曲を小さくすることが出来る。
条件式（４）の下限を下回ると、正単レンズの屈折力が大きくなりすぎ像面湾曲が補正過剰となる。
条件式（４）の上限を上回ると、正単レンズの屈折力が小さくなりすぎ像面湾曲が補正不足となる。
【００３４】
また、条件式（４）に代えて、条件式（４−１）を満足すると良い。
０．４０≦ｆp／（ｆｗ・ｆｔ）1/2≦０．９０    ・・・（４−１）
さらに、条件式（４）に代えて、条件式（４−２）を満足するといっそう良い。
０．４５≦ｆp／（ｆｗ・ｆｔ）1/2≦０．８５    ・・・（４−２）
これにより、効果的に像面湾曲を補正でき全長が短いズームレンズを達成できる。
【００３５】
また、本発明の好ましい態様によれば、前記第２レンズ群内の最も屈折力の強い前記正単レンズが以下の条件を満足することが望ましい。
−０．５≦（R１＋R２）/（R１−R２）＜１．０      ・・・（５）
ここで、
R１は前記第２レンズ群の最も物体側の面の曲率半径、
R２は前記第２レンズ群の最も像面側の面の曲率半径、
である。
【００３６】
第２レンズ群の正単レンズは物体側に凸のメニスカス形状とすることで第２レンズ群全体の主点位置をより物体側へ配置することができる。これにより、少ない移動量で大きな変倍を行うことが容易となり、良好な光学性能を維持しつつ光学系の小型化が可能である。
【００３７】
条件式（５）は、上限を上回って増大すると、正単レンズ（凸レンズ）の最も物体側の面で発生する広角端での非点収差や望遠端での球面収差やコマ収差の補正が困難となり望ましくない。
また、条件式（５）の下限を下回って低減すると、第２レンズ群の主点位置を物体側に寄せることができず、小型化が困難となる。
【００３８】
また、条件式（５）に代えて、条件式（５−１）を満足することで、より効果的に小型化を実現することが可能である。
-０．７≦（R１＋R２）/（R１−R２）＜１．０      ・・・（５−１）
【００３９】
また、本発明の電子撮像装置によれば、
上述の結像光学系と、
光電変換素子とを有し、
結像光学系が、光電変換素子上に像を形成することを特徴とする。
これにより、小型で高変倍比な電子撮像装置を得ることができる。
以下、各実施例について順に詳細に説明する。
【００４０】
本発明の実施例１にかかるズームレンズについて説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【００４１】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【００４２】
実施例１のズームレンズは、図１に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、を有している。なお、以下全ての実施例において、レンズ断面図中、ＣＧはカバーガラス、Ｉは電子撮像素子の撮像面を示している。
【００４３】
本ズームレンズは、広角端から望遠端への変倍比は７．０倍であり、光学全長は望遠端で最長となり４０．１ｍｍである。
【００４４】
第１レンズ群Ｇ１は、物体側より順に、物体側に凸面を向けた負メニスカスレンズＬ１と物体側に凸面を向けた正メニスカスレンズＬ２との接合レンズで構成されており、全体で正の屈折力を有している。
【００４５】
第２レンズ群Ｇ２は、物体側より順に、物体側に凸面を向けた負メニスカスレンズＬ３と、両凹負レンズＬ４と、物体側に凸面を向けた正メニスカスレンズＬ５とから構成されており、全体で負の屈折力を有している。
【００４６】
正メニスカスレンズＬ５は、第２レンズ群Ｇ２の中で最も屈折率の低い媒質で構成され、全体のペッツバール和を良好に補正している。
【００４７】
第３レンズ群Ｇ３は、物体側より順に、両凸正レンズＬ６と、物体側に凸面を向けた正メニスカスレンズＬ７と物体側に凸面を向けた負メニスカスレンズＬ８との接合レンズから構成されており、全体で正の屈折力を有している。
【００４８】
第４レンズ群Ｇ４は、両凸正レンズＬ９の１枚で構成されている。
至近物点の撮影時には、第４レンズ群Ｇ４を光軸方向に移動することで合焦を行う。
【００４９】
広角端から望遠端へと変倍する際には、第１レンズ群Ｇ１は物体側へ移動する。第２レンズ群Ｇ２は、像側へ移動する。第３レンズ群Ｇ３は、物体側へ移動する。第４レンズ群Ｇ４は、物体側へ移動した後に像側へ移動する。
【００５０】
非球面は、第１レンズ群Ｇ１の正メニスカスレンズＬ２の像側の面と、第２レンズ群Ｇ２の正メニスカスレンズＬ５の両面と、第３レンズ群Ｇ３の両凸正レンズＬ６の両面と、第４レンズ群Ｇ４の両凸正レンズＬ９の物体側の面と、の６面に設けられている。
【００５１】
本発明の実施例２にかかるズームレンズについて説明する。図３は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【００５２】
図４は実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００５３】
実施例２のズームレンズは、図３に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、を有している。
【００５４】
広角端から望遠端への変倍比は９．６倍であり、光学全長は望遠端で最長となり４８．０ｍｍである。
【００５５】
第１レンズ群Ｇ１は、物体側より順に、物体側に凸面を向けた負メニスカスレンズＬ１と物体側に凸面を向けた正メニスカスレンズＬ２と両凸レンズL３との接合レンズで構成されており、全体で正の屈折力を有している。
【００５６】
正メニスカスレンズＬ２は、異常分散性を有するエネルギー硬化型樹脂で構成されている。これにより、第１レンズ群Ｇ１の厚みを増大させることなく望遠端での倍率色収差、特に２次スペクトルによる倍率色収差を良好に補正している。
【００５７】
第２レンズ群Ｇ２は、物体側より順に、物体側に凸面を向けた負メニスカスレンズＬ４と、両凹負レンズＬ５と、物体側に凸面を向けた正メニスカスレンズＬ６とから構成されており、全体で負の屈折力を有している。
【００５８】
正メニスカスレンズＬ６は、第２レンズ群Ｇ２の中で最も屈折率の低い媒質で構成され、全体のペッツバール和を良好に補正している。
【００５９】
第３レンズ群Ｇ３は、物体側より順に、両凸正レンズＬ７と、物体側に凸面を向けた正メニスカスレンズＬ８と物体側に凸面を向けた負メニスカスレンズＬ９との接合レンズから構成されており、全体で正の屈折力を有している。
【００６０】
第４レンズ群Ｇ４は、両凸正レンズＬ１０の１枚で構成されている。
至近物点の撮影時には、第４レンズ群を光軸方向に移動することで合焦を行う。
【００６１】
広角端から望遠端へと変倍する際には、第１レンズ群Ｇ１は物体側へ移動する。第２レンズ群Ｇ２は、像側へ移動する。第３レンズ群Ｇ３は、物体側へ移動する。第４レンズ群Ｇ４は、物体側へ移動した後に像側へ移動する。
【００６２】
非球面は、第１レンズ群Ｇ１の両凸レンズＬ３の像側の面と、第２レンズ群Ｇ２の両凹負レンズＬ５の像側の面と、正メニスカスレンズＬ６の物体側の面と、第３レンズ群Ｇ３の両凸正レンズＬ７の両面と、第４レンズ群Ｇ４の両凸正レンズＬ１０の両面と、の７面に設けられている。
【００６３】
本発明の実施例３にかかるズームレンズについて説明する。図５は本発明の実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【００６４】
図６は実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００６５】
実施例３のズームレンズは、図５に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、を有している。
【００６６】
広角端から望遠端への変倍比は９．６倍であり、光学全長は望遠端で最長となり４７．５ｍｍである。
【００６７】
第１レンズ群Ｇ１は、物体側より順に、物体側に凸面を向けた負メニスカスレンズＬ１と両凸正レンズＬ２との接合レンズで構成されており、全体で正の屈折力を有している。
【００６８】
第２レンズ群Ｇ２は、物体側より順に、物体側に凸面を向けた負メニスカスレンズＬ３と、両凹負レンズＬ４と、物体側に凸面を向けた正メニスカスレンズＬ５とから構成されており、全体で負の屈折力を有している。
【００６９】
正メニスカスレンズＬ５は、第２レンズ群Ｇ２の中で最も屈折率の低い媒質で構成され、全体のペッツバール和を良好に補正している。
【００７０】
第３レンズ群Ｇ３は、物体側より順に、両凸正レンズＬ６と、物体側に凸面を向けた正メニスカスレンズＬ７と物体側に凸面を向けた負メニスカスレンズＬ８との接合レンズから構成されており、全体で正の屈折力を有している。
【００７１】
第４レンズ群Ｇ４は、両凸正レンズＬ９の１枚で構成されている。
至近物点の撮影時には、第４レンズ群を光軸方向に移動することで合焦を行う。
【００７２】
広角端から望遠端へと変倍する際には、第１レンズ群Ｇ１は物体側へ移動する。第２レンズ群Ｇ２は、像側へ移動する。第３レンズ群Ｇ３は、物体側へ移動する。第４レンズ群Ｇ４は、物体側へ移動した後に像側へ移動する。
【００７３】
非球面は、第１レンズ群Ｇ１の両凸正レンズＬ２の像側の面と、第２レンズ群Ｇ２の両凹負レンズＬ４の像側の面と、正メニスカスレンズＬ５の物体側の面と、第３レンズ群Ｇ３の両凸正レンズＬ６の両面と、第４レンズ群Ｇ４の両凸正レンズＬ９の両面と、の７面に設けられている。
【００７４】
本発明の実施例４にかかるズームレンズについて説明する。図７は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【００７５】
図８は実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００７６】
実施例４のズームレンズは、図７に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、を有している。
【００７７】
広角端から望遠端への変倍比は９．６倍であり、光学全長は望遠端で最長となり４１．２ｍｍである。
【００７８】
第１レンズ群Ｇ１は、物体側より順に、物体側に凸面を向けた負メニスカスレンズＬ１と物体側に凸面を向けた正メニスカスレンズＬ２と両凸正レンズＬ３との接合レンズで構成されており、全体で正の屈折力を有している。
【００７９】
正メニスカスレンズＬ２は、異常分散性を有するエネルギー硬化型樹脂で構成されている。これにより、第１レンズ群Ｇ１の厚みを増大させることなく、望遠端での倍率色収差、特に２次スペクトルによる倍率色収差を良好に補正している。
【００８０】
第２レンズ群Ｇ２は、物体側より順に、物体側に凸面を向けた負メニスカスレンズＬ４と、物体側に凹面を向けた正メニスカスレンズＬ５と両凹負レンズＬ６との接合レンズと、物体側に凸面を向けた正メニスカスレンズＬ７とから構成されており、全体で負の屈折力を有している。
【００８１】
正メニスカスレンズＬ５は、異常分散性を有するエネルギー硬化型樹脂で構成されている。これにより、第２レンズ群Ｇ２の厚みを増大させることなく広角端での倍率色収差、特に２次スペクトルによる倍率色収差を良好に補正している。
【００８２】
正メニスカスレンズＬ７は、第２レンズＧ２の中で最も屈折率の低い媒質で構成され、全体のペッツバール和を良好に補正している。
【００８３】
第３レンズ群Ｇ３は、物体側より順に、両凸正レンズＬ８と、物体側に凸面を向けた正メニスカスレンズＬ９と物体側に凸面を向けた負メニスカスレンズＬ１０との接合レンズとから構成されており、全体で正の屈折力を有している。
【００８４】
第４レンズ群Ｇ４は、物体側に凸面を向けた正メニスカスレンズＬ１１の１枚で構成されている。
至近物点の撮影時には、第４レンズ群Ｇ４を光軸方向に移動することで合焦を行う。
【００８５】
非球面は、第１レンズ群Ｇ１の両凸正レンズＬ３の両面と、第２レンズ群Ｇ２の正メニスカスレンズＬ５の物体側の面と、両凹負レンズＬ６の像面側の面と、正メニスカスレンズＬ７の物体側の面と、第３レンズ群Ｇ３の両凸正レンズＬ８の両面と、正メニスカスレンズＬ９の物体側の面と、第４レンズ群Ｇ４の両凸正レンズＬ１１の両面と、の１０面に設けられている。
【００８６】
本発明の実施例５にかかるズームレンズについて説明する。図９は本発明の実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【００８７】
図１０は実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００８８】
実施例５のズームレンズは、図９に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、を有している。
【００８９】
広角端から望遠端への変倍比は１４．４倍であり、光学全長は望遠端で最長となり５８．０ｍｍである。
【００９０】
第１レンズ群Ｇ１は、物体側より順に、物体側に凸面を向けた負メニスカスレンズＬ１と両凸正レンズＬ２との接合レンズと、物体側に凸面を向けた正メニスカスレンズＬ３とで構成されており、全体で正の屈折力を有している。
【００９１】
第２レンズ群Ｇ２は、物体側より順に、物体側に凸面を向けた負メニスカスレンズＬ４と、両凹負レンズＬ５と、物体側に凸面を向けた正メニスカスレンズＬ６とから構成されており、全体で負の屈折力を有している。
【００９２】
正メニスカスレンズＬ６は、第２レンズＧ２の中で最も屈折率の低い媒質で構成され、全体のペッツバール和を良好に補正している。
【００９３】
第３レンズ群Ｇ３は、物体側より順に、両凸正レンズＬ７と、物体側に凸面を向けた正メニスカスレンズＬ８と物体側に凸面を向けた負メニスカスレンズＬ９との接合レンズから構成されており、全体で正の屈折力を有している。
【００９４】
第４レンズ群Ｇ４は、両凸正レンズＬ１０の１枚で構成されている。
至近物点の撮影時には、第４レンズ群Ｇ４を光軸方向に移動することで合焦を行う。
【００９５】
非球面は、第１レンズ群Ｇ１の凸メニスカスレンズＬ３の像面側の面と、第２レンズ群Ｇ２の両凹負レンズＬ５の物体側の面と、正メニスカスレンズＬ６の物体側の面と、第３レンズ群Ｇ３の両凸正レンズＬ７の両面と、正メニスカスレンズＬ８の物体側の面と、第４レンズ群Ｇ４の両凸正レンズＬ１０の両面と、の８面に設けられている。
【００９６】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、をそれぞれ表している。また、＊は非球面を示している。ERは有効径を示す。
【００９７】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10  …（Ｉ）
また、ｅは１０のべき乗を表している。なお、これら諸元値の記号は後述の実施例の数値データにおいても共通である。
【００９８】
数値実施例１
単位ｍｍ
面データ
面番号    r             d           nd          νd          ER
物面      ∞            ∞
1       12.2051       0.7000      1.94595       17.98       7.522 
2        9.9298       3.5162      1.62263       58.16       7.020 
3*   20365.6694       可変                                  6.800 
4       54.0994       0.7500      1.88300       40.76       5.122 
5        4.8062       2.1000                                3.655 
6      -22.6962       0.6000      1.69350       53.21       3.800 
7*       9.5974       0.2000                                3.429 
8*       6.4751       1.2654      1.62980       19.20       3.447 
9       39.0927       可変                                  3.400 
10(絞り)   ∞        -0.3000                                1.900 
11*      4.9906       1.5000      1.51633       64.14       1.948 
12*    -11.7157       0.1000                                1.875 
13       3.9602       1.2035      1.69350       53.21       1.773 
14     126.7199       0.4000      1.90366       31.31       1.545 
15       2.9820       可変                                  1.563 
16*     10.8265       1.4500      1.53110       55.91       4.002 
17      72.3763       可変                                  4.000 
18         ∞         0.3000      1.51633       64.14       4.110 
19         ∞         0.5000                                4.115 
20         ∞         0.6790      1.51633       64.14       4.127 
像面（撮像面）∞
非球面データ
第３面 
K=0.000
A4=4.02872e-05,A6=-1.74846e-07,A8= 2.73292e-09,A10=-2.09410e-11  
第７面 
K=0.124
A4=-3.96733e-04,A6=2.25803e-05,A8=-7.63555e-07  
第８面
K=-0.937
A4=-1.98542e-04,A6=1.13819e-05,A8=-3.41417e-07  
第１１ 面 
K=0.000
A4=-7.61090e-04,A6=9.17926e-05  
第１２ 面 
K=-10.084
A4=-9.59804e-05,A6=1.36092e-04,A8=-1.30419e-05,A10=2.46559e-06  
第１６ 面 
K=0.000
A4=-6.17458e-05,A6=1.59931e-05,A8=-3.32680e-07  
各種データ
ズーム比       6.978 
広角     中間      望遠   広角(至近) 中間(至近) 望遠(至近)
焦点距離       5.509    14.478    38.437
ＦＮＯ．       3.737     4.762     5.203
画角２ω       0.000     0.000     0.000
像高           3.830     3.830     3.830
BF             3.574     9.276     5.846
レンズ全長    36.264    36.355    40.075 
物点距離        ∞        ∞        ∞        ∞        ∞     200.00
d3             0.248     4.332     9.731     1.218     6.839     0.248  
d9            12.452     4.649     0.800     7.927     2.729    12.452  
d15            6.505     4.613    10.214     8.209     7.000     6.116  
d17            2.367     7.915     4.535     4.005     8.288     2.756  
絞り径         1.900     1.900     1.900 
入射瞳位置    11.286    21.329    51.783
射出瞳位置   -12.143    -8.511   -22.449
前側主点位置  14.864    24.022    38.005
後側主点位置  -5.329   -14.145   -38.154
レンズ   始面     焦点距離
L1        1      -66.210     
L2        2       15.955     
L3        4       -6.017     
L4        6       -9.653     
L5        8       12.140     
L6       11        6.992     
L7       13        5.871     
L8       14       -3.385     
ズームレンズ群データ
群  始面   群焦点距離   群構成長  前側主点位置  後側主点位置
G1    1     21.822        4.216      -0.257       -2.777 
G2    4     -5.217        4.915       0.615       -3.165 
G3   10      8.751        3.403      -2.979       -3.922 
G4   16     23.776        1.450      -0.165       -1.105 
【００９９】
数値実施例２
単位ｍｍ
面データ
面番号    r             d           nd          νd          ER
物面      ∞            ∞
1       14.0382       0.6899      1.94595       17.98       7.673 
2       10.6023       0.3665      1.63387       23.38       7.074 
3       11.5697       2.8624      1.67790       55.34       7.048 
4*  -75793.8403       可変                                  6.800 
5       93.9163       0.6363      1.88300       40.76       5.233 
6        5.1552       2.1734                                3.862 
7      -41.1036       0.6274      1.74320       49.34       3.800 
8*       8.9549       0.4048                                3.631 
9*       6.7108       1.1933      1.62980       19.20       3.662 
10      54.8892       可変                                  3.600 
11(絞り)  ∞         -0.3500                                2.110 
12*      5.5910       1.1695      1.51633       64.14       2.122 
13*    -13.7671       0.1000                                2.121 
14       4.4565       1.4788      1.67790       50.72       2.066 
15      15.3688       0.3944      2.00330       28.27       1.807 
16       3.3863       可変                                  1.650 
17*     12.2879       2.0078      1.49700       81.54       4.221 
18*   -595.0683       可変                                  4.237 
19        ∞          0.3000      1.51633       64.14       4.150 
20        ∞          0.5000                                4.146 
21        ∞          0.5000      1.51633       64.14       4.137 
22        ∞          0.5010                                4.132 
像面（撮像面）∞
非球面データ
第４面 
K=0.000
A4=2.05540e-05,A6=1.98219e-09,A8=-1.16761e-09,A10=1.19838e-11  
第８面
K=1.028
A4=-1.31693e-03,A6=3.93380e-05,A8=-1.05662e-06  
第９面
K=-1.206
A4=-7.82471e-04,A6=4.29259e-05,A8=-7.87816e-07  
第１２面
K=0.000
A4=-7.35163e-04,A6=2.89169e-05  
第１３面
K=0.000
A4=2.35783e-04,A6=3.97826e-05,A8=-2.48480e-06,A10=4.25092e-07  
第１７面
K=0.000
A4=-1.26342e-04,A6=2.85270e-06,A8=-3.03124e-07  
第１８面
K=-4.196
A4=-7.68705e-06,A6=-2.95930e-06,A8=-1.99269e-07  
各種データ
ズーム比       9.630 
広角      中間      望遠   広角(至近) 中間(至近) 望遠(至近)
焦点距離       5.410    16.790    52.100
ＦＮＯ．       3.918     5.239     6.027
画角２ω       0.000     0.000     0.000
像高           3.830     3.830     3.830
BF             4.615    11.296     6.552
レンズ全長    41.703    42.740    47.723 
物点距離        ∞        ∞        ∞        ∞        ∞     200.00
d4             0.361     5.729    11.848     3.167     9.543     0.361  
d10           15.968     5.820     0.800     9.727     3.118    15.968  
d16            7.004     6.140    14.768     5.639     6.026     6.688  
d18            3.086     9.769     5.005     6.718    10.383     3.402  
絞り径         2.110     2.110     2.110 
入射瞳位置    11.025    24.759    63.277
射出瞳位置   -13.630   -11.767   -47.759
前側主点位置  14.831    29.326    65.397
後側主点位置  -4.909   -16.290   -51.581
レンズ   始面    焦点距離
L1        1      -50.746     
L2        2      174.408     
L3        3       17.065     
L4        5       -6.198     
L5        7       -9.841     
L6        9       12.025     
L7       12        7.863     
L8       14        8.778     
ズームレンズ群データ
群  始面   群焦点距離   群構成長  前側主点位置  後側主点位置
G1    1     23.617        3.919       -0.194      -2.475 
G2    5     -5.624        5.035        0.398      -3.674 
G3   11     10.468        2.793       -3.786      -3.917 
G4   17     24.251        2.008        0.027      -1.316 
【０１００】
数値実施例３
単位ｍｍ
面データ
面番号    r             d           nd          νd          ER
物面      ∞            ∞
1       14.2782       0.6502      1.94595       17.98       7.587 
2       11.2423       3.0229      1.67790       55.34       7.074 
3*  -73816.9294       可変                                  6.800 
4       82.6376       0.6393      1.88300       40.76       5.220 
5        5.1180       2.1872                                3.853 
6      -38.9398       0.5643      1.74320       49.34       3.800 
7*       9.3716       0.3633                                3.644 
8*       6.6523       1.2348      1.62980       19.20       3.672 
9       48.8218       可変                                  3.600 
10(絞り)  ∞         -0.3500                                2.100 
11*      5.6770       1.5000      1.51633       64.14       2.109 
12*    -13.6326       0.1000                                2.110 
13       4.3843       1.4155      1.67790       50.72       2.055 
14      13.8824       0.3961      2.00330       28.27       1.808 
15       3.3901       可変                                  1.650 
16*     13.8743       1.6000      1.49700       81.54       4.078 
17*   -908.1765       可変                                  4.186 
18        ∞          0.3000      1.51633       64.14       4.120 
19        ∞          0.5000                                4.117 
20        ∞          0.5000      1.51633       64.14       4.111 
21        ∞          0.5040                                4.107 
像面（撮像面）∞
非球面データ
第３面
K=0.000
A4=2.14759e-05,A6=2.21108e-08,A8=-1.31981e-09,A10=1.18716e-11  
第７面
K=1.861
A4=-1.49755e-03,A6=3.72890e-05,A8=-9.74767e-07  
第８面
K=-1.680
A4=-6.84639e-04,A6=4.18018e-05,A8=-5.50154e-07  
第１１面
K=0.000
A4=-7.39357e-04,A6=2.58199e-05  
第１２面
K=0.000
A4=2.67649e-04,A6=-5.51889e-06,A8=1.17249e-05,A10=-1.05257e-06  
第１６面
K=0.000
A4=-6.64758e-04,A6=3.07346e-05,A8=-2.37901e-06  
第１７面
K=0.000
A4=-5.81441e-04,A6=2.07326e-05,A8=-1.99372e-06  
各種データ
ズーム比       9.630 
広角     中間      望遠   広角(至近) 中間(至近) 望遠(至近)
焦点距離       5.410    16.789    52.098
ＦＮＯ．       3.954     5.381     6.271
画角２ω       0.000     0.000     0.000
像高           3.830     3.830     3.830
BF             4.664    11.555     6.559
レンズ全長    41.377    42.321    47.253 
物点距離        ∞        ∞        ∞        ∞        ∞      200.00
d3             0.251     5.387    11.468     2.904     9.214      0.251  
d9            16.156     5.931     0.800     9.872     3.209     16.156  
d15            6.983     6.124    15.104     5.668     6.027      6.621  
d17            3.132    10.028     5.015     6.902    10.714      3.494  
絞り径         2.100     2.100     2.100 
入射瞳位置    10.630    23.210    58.524
射出瞳位置   -12.833   -11.157   -41.469
前側主点位置  14.367    27.589    54.108
後側主点位置  -4.906   -16.290   -51.582
レンズ   始面     焦点距離
L1        1       -62.390     
L2        2        16.582     
L3        4        -6.203     
L4        6       -10.113     
L5        8        12.092     
L6       11         7.973     
L7       13         8.916     
L8       14        -4.557     
ズームレンズ群データ
群  始面   群焦点距離   群構成長  前側主点位置  後側主点位置
G1    1     23.286        3.673       -0.185      -2.317 
G2    4     -5.678        4.989        0.407      -3.608 
G3   10     10.338        3.062       -3.630      -3.936 
G4   16     27.512        1.600        0.016      -1.053 
【０１０１】
数値実施例４
単位ｍｍ
面データ
面番号    r             d           nd          νd          ER
物面      ∞            ∞
1       12.9837       0.6300      1.94595       17.98       6.615 
2       10.3471       0.1500      1.63494       23.22       6.055 
3*      10.7059       2.4395      1.61881       63.85       6.030 
4*    -171.0581       可変                                  5.650 
5   329136.3206       0.4500      2.00330       28.27       4.589 
6        6.1657       1.4211                                3.678 
7*     -42.8104       0.4804      1.63494       23.22       3.684 
8      -10.8625       0.5000      1.77377       47.18       3.675 
9*       7.6760       0.2000                                3.482 
10*      6.1392       1.3000      1.62980       19.20       3.504 
11     324.1097       可変                                  3.450 
12(絞り)  ∞         -0.2000                                1.850 
13*      5.5846       1.4000      1.58313       59.38       1.882 
14*    -14.0167       0.0446                                1.861 
15*      3.7068       2.3942      1.51633       64.14       1.821 
16     279.7276       0.3523      2.00330       28.27       1.399 
17       2.9742       可変                                  1.302 
18*      8.7590       1.9227      1.58313       59.38       4.702 
19*  46280.0000       可変                                  4.709 
20        ∞          0.3000      1.51633       64.14       4.366 
21        ∞          0.5000                                4.336 
22        ∞          0.5000      1.51633       64.14       4.259 
23        ∞          0.4970                                4.209 
像面（撮像面）∞
非球面データ
第３面
K=0.000
A4=6.87586e-06,A6=-5.39937e-07  
第４面
K=-1.000
A4=3.00789e-05,A6=-1.93704e-08,A8=-2.09144e-10  
第７面
K=0.000
A4=-2.17420e-04,A6=-8.46972e-06,A8=5.72783e-09  
第９面 
K=0.000
A4=-4.16070e-04,A6=-4.08445e-05  
第１０ 面
K=0.000
A4=-6.81102e-04,A6=-4.38347e-05  
第１３面
K=-0.178
A4=8.10235e-04,A6=1.47070e-04,A8=6.97154e-06,A10=2.84551e-06  
第１４面 
K=-3.249
A4=1.68031e-03,A6=1.16330e-04,A8=3.00974e-05,A10=5.06249e-07  
第１５面 
K=-0.163
A4=3.91452e-04,A6=-1.93288e-04,A8=7.80962e-05,A10=-1.12898e-05  
第１８面
K=0.000
A4=-5.13572e-04,A6=1.23209e-05,A8=-2.56619e-07  
第１９面
K=0.000
A4=-5.42480e-04,A6=3.34890e-06  
各種データ
ズーム比       9.599 
広角     中間      望遠   広角(至近) 中間(至近) 望遠(至近)
焦点距離       5.169    16.800    49.611
ＦＮＯ．       3.910     5.612     6.262
画角２ω       0.000     0.000     0.000
像高           3.830     3.830     3.830
BF             3.093     9.557     3.190
レンズ全長    34.082    36.780    40.980 
物点距離        ∞        ∞        ∞        ∞        ∞      200.00
d4             0.243     5.168    11.494     1.578     8.927      0.243  
d11           12.519     4.120     0.696     6.152     2.124     12.519  
d17            4.742     4.450    12.114     4.297     5.097      4.489  
d19            1.568     8.002     1.665     6.166     8.000      1.821  
絞り径         1.850     1.850     1.850 
入射瞳位置     9.108    19.970    57.695
射出瞳位置   -11.567   -10.760  -134.431
前側主点位置  12.455    22.878    89.422
後側主点位置  -4.671   -16.272   -49.114
レンズ   始面     焦点距離
L1        1       -60.941     
L2        2       418.237     
L3        3        16.366     
L4        5        -6.146     
L5        7        22.792     
L6        8        -5.745     
L7       10         9.920     
L8       13         7.033     
ズームレンズ群データ
群  始面   群焦点距離   群構成長  前側主点位置  後側主点位置
G1    1     22.060        3.219       -0.074      -2.006 
G2    5     -5.230        4.351        0.329      -2.911 
G3   12      8.127        3.991       -5.372      -4.621 
G4   18     15.023        1.923       -0.000      -1.215 
【０１０２】
数値実施例５
単位ｍｍ
面データ
面番号    r             d           nd          νd          ER
物面      ∞            ∞
1       29.6438       0.8000      1.94595       17.98       9.277 
2       22.7582       2.5000      1.43875       94.93       8.873 
3     -919.7113       0.2000                                8.648 
4       18.4752       1.8420      1.58913       61.14       7.654 
5*     124.5971       可変                                  7.500 
6      854.6114       0.6000      1.88300       40.76       5.135 
7        6.2969       2.0000                                4.003 
8*     -15.9456       0.6000      1.86400       40.58       4.000 
9       11.3216       0.1824                                3.801 
10*      6.3382       1.5000      1.62980       19.20       3.890 
11    1859.5060       可変                                  3.900 
12(絞り)  ∞         -0.0642                                2.300 
13*      6.4671       1.6937      1.51633       64.14       2.404 
14*    -16.3815       0.6243                                2.313 
15*      6.7315       1.7713      1.73310       48.91       2.217 
16      29.3758       0.4546      2.00330       28.27       1.900 
17       4.6579       可変                                  1.949 
18*     12.8433       2.1364      1.53110       55.91       4.362 
19*  -8239.2978       可変                                  4.400 
20        ∞          0.6429      1.51633       64.14       4.178 
21        ∞          0.5000                                4.159 
22        ∞          0.5000      1.51633       64.14       4.136 
23        ∞          0.2260                                4.125 
像面（撮像面）∞
非球面データ
第５面
K=0.000
A4=3.72259e-06,A6=-2.07222e-09,A8=-1.91172e-11,A10=1.86542e-13  
第８面
K=-62.178
A4=-3.56643e-04,A6=-1.18653e-07  
第１０面
K=-7.971
A4=1.34475e-03,A6=-2.98368e-05,A8=3.63953e-07  
第１３面
K=0.000
A4=5.20471e-04,A6=1.61643e-04,A8=-1.21576e-05,A10=2.04496e-06  
第１４面
K=0.000
A4=3.34744e-03,A6=-2.70328e-05,A8=-4.89982e-07,A10=2.93219e-06  
第１５面
K=0.998
A4=1.22876e-03,A6=-1.31583e-04,A8=3.18278e-06,A10=4.01703e-07  
第１８面
K=0.000
A4=-1.78516e-04,A6=8.62892e-07,A8=-5.24052e-07  
第１９面
K=0.000
A4=-8.59778e-05,A6=-4.95316e-07,A8=-5.01498e-07  
各種データ
ズーム比      14.419 
広角     中間      望遠   広角(至近) 中間(至近) 望遠(至近)
焦点距離       5.493    20.736    79.198
ＦＮＯ．       4.335     5.452     6.059
画角２ω       0.000     0.000     0.000
像高           3.830     3.830     3.830
BF             4.999    15.070     6.341
レンズ全長    52.630    53.898    57.884 
物点距離        ∞        ∞        ∞        ∞         ∞      200.00
d5             0.287     9.221    16.333     4.329     14.011      0.287  
d11           20.652     7.593     0.700    11.733      4.550     20.652  
d17            9.852     5.174    17.670     6.679      6.839      9.549  
d19            3.519    13.366     4.790     9.688     12.198      3.822  
絞り径         2.300     2.300     2.300 
入射瞳位置    12.017    38.582   102.149
射出瞳位置   -24.596   -11.561  -106.938
前側主点位置  16.490    43.172   125.977
後側主点位置  -5.267   -20.286   -78.901
レンズ   始面     焦点距離
L1        1       -109.777     
L2        2         50.659     
L3        4         36.584     
L4        6         -7.187     
L5        8         -7.586     
L6       10         10.095     
L7       13          9.213     
L8       15         11.530     
ズームレンズ群データ
群  始面   群焦点距離   群構成長  前側主点位置  後側主点位置
G1    1     27.112        5.342        1.383      -2.175 
G2    6     -5.804        4.882        0.506      -3.250 
G3   12     12.686        4.980       -4.286      -5.682 
G4   18     24.147        2.136        0.002      -1.393 
【０１０３】
以下、各実施例の条件式対応値を掲げる。
実施例１      実施例２      実施例３      実施例４      実施例５
(1) ndｐ     1.62980       1.62980       1.62980       1.62980       1.62980 
(2) vdp     19.20         19.20         19.20         19.20         19.20 
(3) θgF     0.695         0.695         0.695         0.695         0.695 
(4) ｆp/(ｆｗ・ｆｔ)1/2 
0.848         0.716         0.720         0.620         0.491 
(5) (R１-R２)/(R１＋R２) 
-0.72         -0.78         -0.76         -0.96         -0.99 
ｆｐ    12.1402       12.0246       12.092         9.9205       10.0952
ｆｗ     5.417         5.410         5.410         5.167         5.410
ｆｔ    37.873        52.100        52.100        49.596        78.099
R1       6.4751        6.7108        6.6523        6.1392        6.3382
R2      39.0927       54.8892       48.8218      324.1097     1859.506
【０１０４】
さて、以上のような本発明の結像光学系（ズームレンズ）は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０１０５】
図１１〜図１３に本発明による結像光学系をデジタルカメラの撮影光学系４１に組み込んだ構成の概念図を示す。図１１はデジタルカメラ４０の外観を示す前方斜視図、図１２は同後方斜視図、図１３はデジタルカメラ４０の光学構成を示す断面図である。
【０１０６】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０１０７】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１０８】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Ｅに導く接眼光学系５９が配置されている。
【０１０９】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０１１０】
次に、本発明の結像光学系が対物光学系として内蔵された情報処理装置の一例であるパソコンを図１４〜図１６に示す。図１４はパソコン３００のカバーを開いた状態の前方斜視図、図１５はパソコン３００の撮影光学系３０３の断面図、図１６は図１４の側面図である。図１４〜図１６に示されるように、パソコン３００は、キーボード３０１と、情報処理手段や記録手段と、モニター３０２と、撮影光学系３０３とを有している。
【０１１１】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１１２】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０１１３】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される。図１４には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１１４】
次に、本発明の結像光学系が撮影光学系として内蔵された情報処理装置の一例である電話、特に持ち運びに便利な携帯電話を図３７に示す。図１７（a）は携帯電話４００の正面図、図１７（b）は側面図、図１７（c）は撮影光学系４０５の断面図である。図１７（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１１５】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１１６】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０１１７】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１１８】
なお、本発明は、その趣旨を逸脱しない範囲で様々な変形例をとることができる。
【符号の説明】
【０１１９】
Ｇ１          第１レンズ群
Ｇ２          第２レンズ群
Ｇ３          第３レンズ群
Ｇ４          第４レンズ群
Ｌ１〜Ｌ１１        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
2011203387.tif 000003
【図２】
2011203387.tif 000004
【図３】
2011203387.tif 000005
【図４】
2011203387.tif 000006
【図５】
2011203387.tif 000007
【図６】
2011203387.tif 000008
【図７】
2011203387.tif 000009
【図８】
2011203387.tif 000010
【図９】
2011203387.tif 000011
【図１０】
2011203387.tif 000012
【図１１】
2011203387.tif 000013
【図１２】
2011203387.tif 000014
【図１３】
2011203387.tif 000015
【図１４】
2011203387.tif 000016
【図１５】
2011203387.tif 000017
【図１６】
2011203387.tif 000018
【図１７】
2011203387.tif 000019